(57)【要約】      （修正有）【課題】屋外でステレオ画像の撮影や鑑賞を行う際に、電子ディスプレイに表示されるステレオ画像が視認し易く、また、簡便に持ち運び可能なステレオビューワ及び／又はステレオビューファインダを提供する。【解決手段】液晶ディスプレイＤ上に取り付けられて折り畳み可能な遮光フード１０と、ステレオ画像ＳＲ、ＳＬを視る一対のレンズ２１Ｒ、２１Ｌと、一対のレンズ２１Ｒ、２１Ｌを収容し、遮光フード１０の前方内壁面１１ａにヒンジ部２３を介して取り付けられて液晶ディスプレイＤに対して平行に展開可能なレンズホルダ２２と、を有するルーペ２０と、を備えている。【選択図】図１
2015089111.tif 000002
【特許請求の範囲】
【請求項１】
一対のステレオ画像を表示する電子ディスプレイを備えた電子機器に用いられるステレオビューワ及び／又はステレオビューファインダであって、
前記電子ディスプレイ上に取り付けられて折り畳み可能な遮光フードと、
前記ステレオ画像を視る一対のレンズを備え、前記遮光フードの内壁面にヒンジ部を介して取り付けられて前記電子ディスプレイに対して平行に展開可能なルーペと、
を備えていることを特徴とするステレオビューワ及び／又はステレオビューファインダ。
【請求項２】
前記ルーペを前記電子ディスプレイに対して垂直な垂直方向に昇降可能なルーペ昇降機構を備えていることを特徴とする請求項１記載のステレオビューワ及び／又はステレオビューファインダ。
【請求項３】
前記ルーペ昇降機構は、前記ルーペを前記遮光フードより垂直方向の上方に昇降可能なことを特徴とする請求項２記載のステレオビューワ及び／又はステレオビューファインダ。
【請求項４】
前記ルーペ昇降機構は、
前記ルーペにヒンジ部を介して連結されて、前記遮光フードの内壁面に垂直方向に昇降可能に取り付けられたコラムと、
該コラムの側方に取り付けられて、前記垂直方向に延びる回転軸まわりに回動可能なウォームネジと、
該ウォームネジに噛合可能に配置されて、前記ウォームネジを回動させて前記コラムを昇降させる入力ギヤと、
を備えていることを特徴とする請求項２又は３記載のステレオビューワ及び／又はステレオビューファインダ。
【請求項５】
前記入力ギヤの歯溝には、前記ウォームネジと前記入力ギヤとの噛み合いを妨げる昇降ストッパが配設されていることを特徴とする請求項４記載のステレオビューワ及び／又はステレオビューファインダ。
【請求項６】
前記遮光フードの内壁面と該内壁面に対向する対向壁面との間に渡設されて、前記一対のレンズの視野を仕切る仕切板を備えていることを特徴とする請求項１記載のステレオビューワ及び／又はステレオビューファインダ。
【請求項７】
前記仕切板は、一方端部を前記電子ディスプレイに対して垂直な回動軸まわりに回動可能にヒンジ部を介して前記遮光フードの後方内壁面に取り付けられていることを特徴とする請求項６記載のステレオビューワ及び／又はステレオビューファインダ。
【請求項８】
前記遮光フードが折り畳まれている際に、前記仕切板を前記遮光フードに一体に固定して前記仕切板の回動を規制し、前記遮光フードが展開されている際に、前記仕切板と前記遮光フードとを切離可能な回動ストッパを備えていることを特徴とする請求項７記載のステレオビューワ及び／又はステレオビューファインダ。
【請求項９】
前記回動ストッパは、前記遮光フードの対向壁面に形成された挿通孔内をスライド可能に配置されて、前記仕切板の他方端部を掛止するフック部を備えていることを特徴とする請求項８記載のステレオビューワ及び／又はステレオビューファインダ。
【請求項１０】
前記一対のレンズ間のレンズ間距離を調整可能なレンズ間距離調整機構を備えていることを特徴とする請求項１記載のステレオビューワ及び／又はステレオビューファインダ。
【請求項１１】
前記レンズ間距離調整機構は、前記電子ディスプレイに対して垂直な回転軸まわりに前記レンズを回動可能に夫々収容する一対のレンズホルダを備えていることを特徴とする請求項１０記載のステレオビューワ及び／又はステレオビューファインダ。
【請求項１２】
前記レンズ間距離調整機構は、前記一対のレンズホルダ同士の対向する対向面に夫々形成されて互いに噛合可能なセグメントギヤを備えていることを特徴とする請求項１１記載のステレオビューワ及び／又はステレオビューファインダ。
【請求項１３】
前記レンズ間距離調整機構は、前記レンズホルダの過回動を規制する過回動ストッパを備えていることを特徴とする請求項１１又は１２記載のステレオビューワ及び／又はステレオビューファインダ。
【請求項１４】
前記レンズ間距離調整機構は、左右のレンズよりも夫々大きい孔を有するベースプレートを備え、ベースプレート上には左右一対のレンズホルダを設置し、ベースホルダと一対のレンズホルダは、夫々の下端部のピンを中心として回動可能に連結されている。ベースプレートの中心部にはカムシャフトを回転可能に立設するための孔を設け、その孔に左右用二つのカムを固定したカムシャフトを立設して、その左右用のカムには、夫々左右のレンズホルダの側端部がスプリングによって当接されている。カムシャフトの上端部を指で回せば左右のカムによってレンズホルダの間隔が観察者の好適な状態に調整される機構を備えている請求項１１記載のステレオビューワ及び／又はステレオビューファインダ。
【請求項１５】
左右の表示画面に左右同一の視準パターンをソフトウェアによって表示するように構成した請求項１記載のステレオビューワ及び／又はステレオビューファインダ。
【請求項１６】
左右の電子ディスプレイを白色表示してバックライトとして利用することにより、電子ディスプレイの上部に設けたスロットにステレオスライドを挿入してフィルム上に形成されたステレオスライドを観賞できるように構成した請求項１，２，３，４，５，６，７，８，９，１０，１１，１２，１３及び１４記載のステレオビューワ及び／又はステレオビューファインダ。
【請求項１７】
ステレオビューワ／又はステレオビューファインダをステレオカメラに取り付けた時に、取り付け位置の片側にフェースクラッチ機構を設け、そのフェースクラッチ機構をバネで加圧し、カップリングの歯数を３６０°／９０°＝４で割れる数を除いたＮとし、割出角度を３６０／Ｎとして、ｎを整数とすれば、  
ｎ（３６０°／Ｎ） ＞９０°で成り立つｎの最小数の回転角度を回動させ、その回動の中間位置を、ディスプレイを実際に回動させる９０°位置にストッパを設け、その位置で固定するように構成した請求項１，２，３，４，５，６，７，８，９，１０，１１，１２，１３及び１４のステレオビューファインダ。
【発明の詳細な説明】
【技術分野】
【０００１】
本発明は、ステレオビューワ及び／又はステレオビューファインダに関するものであり、特にステレオ画像を鑑賞する際に用いられるステレオビューワ及び／又はステレオ画像を撮影する際に用いられるステレオビューファインダに関するものである。
【背景技術】
【０００２】
従来より、観察者の両眼でレンズを介して互いに離れた２点で撮影した視点の異なる一対のステレオ画像を立体視して観賞するステレオビューワや、上述したステレオ画像を撮影する際に用いられるステレオビューファインダが知られている。
【０００３】
このようなステレオビューワとして、上方殻体と下方殻体とを折り目ヒンジを介して連結して成るプラスチックケース内に、２枚のスクリーンと、一対レンズを有して折り目ヒンジを介して下方殻体に枢着自在に設けられた光学ビューワと、を配置したものが知られている（例えば、特許文献１参照）。
【０００４】
また、ステレオビューファインダとして、例えば、ディジタルステレオカメラ等の電子機器としての撮像ユニットの下方に取り付けられて、ボディー内に配置された左右一対のＴＦＴカラー液晶ディスプレイを左右一対の接眼レンズで別々に観察するものが知られている（例えば、特許文献２参照）。
【先行技術文献】
【特許文献】
【０００５】
【特許文献１】特表平１０‐５００４９３ 号公報
【特許文献２】特開２００６−３０３８３２号公報
【発明の概要】
【発明が解決しようとする課題】
【０００６】
しかしながら、上述したようなステレオビューワでは、光学レンズが大きくなり、ディジタルステレオカメラ等の電子ディスプレイを見る際には、光学レンズの焦点距離が長くなり、電子ディスプレイからレンズを離間しなければならず外形が大きくなる。また、屋外で、ステレオ画像を鑑賞する際に、外光の影響により相対的に電子ディスプレイの輝度が低下してステレオ画像が視認しがたいという問題があった。
【０００７】
また、上述したようなステレオビューファインダでは、ボディーが大型になりがちで、屋外でのステレオ画像を撮影する際の携行性が悪いという問題があった。
【０００８】
そこで、屋外でステレオ画像の撮影や鑑賞を行う際に、電子ディスプレイに表示されるステレオ画像が視認し易く、また、簡便に持ち運ぶために解決すべき技術的課題が生じてくるのであり、本発明は、この課題を解決することを目的とする。
【課題を解決するための手段】
【０００９】
本発明は、上記目的を達成するために提案するものであり、請求項１記載の発明は、一対のステレオ画像を表示する電子ディスプレイを備えた電子機器に用いられるステレオビューワ及び／又はステレオビューファインダであって、  前記電子ディスプレイ上に取り付けられて折り畳み可能な遮光フードと、前記ステレオ画像を見る一対のレンズを備え、前記遮光フードの内壁面にヒンジ部を介して取り付けられて前記電子ディスプレイに対して平行に展開可能なルーペと、を備えているステレオビューワ及び／又はステレオビューファインダを提供する。
【００１０】
この構成によれば、屋外でステレオ画像の撮影や鑑賞を行う際に、遮光フードが電子ディスプレイへの外光の侵入を防止するため、電子ディスプレイに表示されるステレオ画像が視認し易く、また、遮光フードが小さく折り畳まれて格納可能なため、屋外に簡便に持ち運ぶことができる。
【００１１】
請求項２記載の発明は、請求項１記載のステレオビューワ及びステレオビューファインダの兼用構造の構成に加えて、前記ルーペを前記電子ディスプレイに対して垂直な垂直方向に昇降可能なルーペ昇降機構を備えているステレオビューワ及び／又はステレオビューファインダを提供する。
【００１２】
この構成によれば、ルーペが電子ディスプレイに対して遠近移動可能なため、観察者の視度に応じて、ルーペの視度を調節することができる。
【００１３】
請求項３記載の発明は、請求項２記載のステレオビューワ及びステレオビューファインダの兼用構造の構成に加えて、前記ルーペ昇降機構は、前記ルーペを前記遮光フードより垂直方向の上方に昇降可能なステレオビューワ及び／又はステレオビューファインダを提供する。
【００１４】
この構成によれば、ルーペと電子ディスプレイとの距離を遮光フードの高さよりも長く確保するため、遮光フードの高さに係らず、観察者の視度に応じてルーペの視度を調整することができる。
【００１５】
請求項４記載の発明は請求項２又は３記載のステレオビューワ又はステレオビューファインダの兼用構造の構成に加えて、前記ルーペ昇降機構は、前記ルーペにヒンジ部を介して連結されて、前記遮光フードの内壁面に垂直方向に昇降可能に取り付けられたコラムと、該コラムの側方に取り付けられて、前記垂直方向に延びる回転軸周りに回動可能なウォームネジと、該ウォームネジに噛合可能に配置されて、前記ウォームネジを回動させて前記コラムを昇降させる入力ギヤと、を備えているステレオビューワ及び／又はステレオビューファインダを提供する。
【００１６】
この構成によれば、入力ギヤを回動させるだけで、ウォームネジを介してコラムが垂直方向に昇降して、ルーペが電子ディスプレイに対して遠近移動するため、撮影者の視度に応じて視度調整を容易に行うことができる。
【００１７】
請求項５記載の発明は、請求項４記載のステレオビューワ及びステレオビューファインダの兼用構造の構成に加えて、前記入力ギヤの歯溝には、前記ウォームネジと前記入力ギヤとの噛み合いを妨げる昇降ストッパが配設されているステレオビューワ及び／又はステレオビューファインダを提供する。
【００１８】
この構成によれば、ストッパがウォームネジと入力ギヤとの間に介在することにより、ウォームネジの回動が制止されて、コラム及びルーペが位置決めされるため、観察者の視度に応じて視度調整を行うと共に電子ディスプレイに対するルーペの位置を固定することができる。
【００１９】
請求項６記載の発明は、請求項１記載のステレオビューワ及びステレオビューファインダの兼用構造に加えて、前記遮光フードの内壁面と該内壁面に対向する対抗壁面との間に渡設されて、前記一対のレンズの視野を仕切る仕切り板を備えているステレオビューワ及び／又はステレオビューファインダを提供する。  
【００２０】
この構成によれば、仕切り板が一対のレンズの角視野を仕切るため、観察者は一対のステレオ画像を立体視し易くなる。
【００２１】
請求項７記載の発明は、請求項６記載のステレオビューワ及びステレオビューファインダの兼用構造に加えて、前記仕切り板は、一方端部を前記電子ディスプレイに対して垂直な回転軸まわりに回動可能にヒンジ部を介して前記遮光フードの後方内壁部に取り付けられているステレオビューワ及び／又はステレオビューファインダを提供する。
【００２２】
この構成によれば、仕切り板は、遮光フードの展開時、格納時に応じて開閉することができる。
【００２３】
請求項８記載の発明は、請求項７記載のステレオビューワ及びステレオビューファインダの兼用構造に加えて、前記遮光フードが折り畳まれている際に、前記仕切り板を前記遮光フードに一体に固定して前記仕切り板の回動を規制し、前記遮光フードが展開されている際に、前記仕切り板と前記遮光フードとを切り離し可能な回動ストッパを備えているステレオビューワ及び／ステレオビューファインダを提供する。
【００２４】
この構成によれば、遮光フードの格納時に、仕切り板が不用意に展開することを抑制すると共に、遮光フードの展開時に、仕切り板を容易に展開することができる。
【００２５】
請求項９記載の発明は、請求項８記載のステレオビューワ及びステレオビューファインダの兼用構造の構成に加えて、前記回動ストッパは、前記遮光フードの対抗壁面に形成された挿通孔内をスライド可能に配置されて、前記仕切板の他方端部を掛止するフック部を備えているステレオビューワ及び／又はステレオビューファインダを提供する。
【００２６】
この構成によれば、ストッパをスライドさせるだけで仕切り板を対向壁面から切り離すことができる。
【００２７】
請求項１０記載の発明は、請求項１記載のステレオビューワ及びステレオビューファインダの兼用構造に加えて、前記一対のレンズ間のレンズ間距離を調整可能なレンズ間距離調整機構を備えているステレオビューワ及び／又はステレオビューファインダを提供する。
【００２８】
この構成によれば、観察者の瞳間隔に応じて、一対のレンズ間のレンズ間距離を調整することができる。
【００２９】
請求項１１記載の発明は、請求項１０記載のステレオビューワ及びステレオビューファインダの兼用構造の構成に加えて、前記レンズ間距離調整機構は、前記電子ディスプレイに対して垂直な回転軸まわりに前記レンズを回転可能に夫々収容する一対のレンズホルダを備えているステレオビューワ及び／又はステレオビュ―ファインダを提供する。
【００３０】
この構成によれば、回転軸まわりにレンズホルダを回動させることにより、観察者の眼幅に応じて、一対のレンズ間のレンズ間距離を調整することができる。
【００３１】
請求項１２記載の発明は、請求項１１記載のステレオビューワ及びステレオビューファインダの兼用構造の構成に加えて、前記レンズ間距離調整機構は、前記一対のレンズホルダ同士の対向する対向面に夫々形成されて互いに噛合可能なセグメントギヤを備えているステレオビューワ及び／又はステレオビューファインダを提供する。
【００３２】
この構成によれば、一対のレンズホルダの回動の際に、セグメントギヤ同士が噛み合うことにより、一方のレンズホルダが他方のレンズホルダの回動動作に連動するため、レンズ間距離の調整に伴う作業負担を軽減することができる。
【００３３】
請求項１３記載の発明は、請求項１１又は１２記載のステレオビューワ及びステレオビューファインダの兼用構造に加えて、前記レンズ間隔調整機構は、前記レンズホルダの過回転規制ストッパ及び過接近ストッパを備えているステレオビューワ及び／ステレオビューファインダを提供する。
【００３４】
この構成によれば、ストッパが、レンズホルダ間隔の過度な回転を抑制するため、レンズ間隔を所望の範囲内に調整することができる。
【００３５】
請求項１４記載の発明は、請求項１１記載のステレオビューワ及びステレオビューファインダの兼用構造の構成に加えて、前記レンズ間距離調整機構は、左右のレンズよりも夫々大きい孔を有するベースプレートを備え、ベースプレート上には左右一対のレンズホルダを設置し、ベースホルダと一対のレンズホルダは、夫々の下端部のピンを中心として回動可能に連結されている。ベースプレートの中心部にはカムシャフトを回転可能に立設するための孔を設け、その孔に左右用二つのカムを固定したカムシャフトを立設して、その左右用のカムには、夫々左右のレンズホルダの側端部がスプリングによって当接されている。カムシャフトの上端部を指で回せば左右のカムによってレンズホルダの間隔が観察者の好適な状態に調整される機構を備えているステレオビューワ及び／又はステレオビーファインダを提供する。
【００３６】
この構成によれば、カムシャフトを回すだけで左右のレンズ間隔が調整でき、また、機構全体を小型化できる。
【００３７】
請求項１５記載の発明は、ディジタルステレオカメラに付随して使用され、一対のステレオ画像を表示する電子ディスプレイス方式のステレオビューワ及び／又はステレオビューファインダであって、左右の表示画面に左右同一の視準パターンをソフトウェアによって表示するように構成した請求項１，２，３，４，５，６，７，８，９，１０，  １１，１２，１３及び１４  記載のステレオビューワ及び／又はステレオビューファインダを提供する。
【００３８】
この構成によれば、ステレオビューワ及び／又はステレオビューファインダをステレオカメラに取り付けてステレオビューファインダとして使用する場合、左右のパターンが融合して一つの立体像として見え、立体像パターンの向こう側に撮影する立体映像が見えるようにして撮影することによって正常な立体映像が撮影できる。
【００３９】
請求項１６記載の発明は、ステレオビューワ及び／又はステレオビューファインダであって、その左右の電子ディスプレイを白色に表示してバックライトとして利用することにより、電子ディスプレイの上部に設けたスロットにステレオスライドを挿入してフィルム上に形成されたステレオスライドを鑑賞できるように構成した請求項１，２，３，４，５，６，７，８，９，１０，１１，１２，１３及び１４記載のステレオビューワ及び／又はステレオビューファインダを提供する。
【００４０】
この構成によれば、電子ディスプレイをバックライトとして利用でき、電子ディスプレイであっても、フィルム方式のステレオスライドを見ることができる。
【００４１】
請求項１７記載の発明は、ステレオビューワ／又はステレオビューファインダをステレオカメラに取り付けた時に、取り付け位置の片側にフェース化プリングを設け、そのフェースカップリングをバネで加圧し、カップリングの歯数を３６０°／９０°＝４で割れる数を除いたＮとし、割出角度をｎ＝３６０／Ｎとして、ｎを整数とすれば、  
ｎ（３６０°／Ｎ） ＞９０°で成り立つｎの最小数の回転角度を回動させ、その回動の中間位置を、ディスプレイを実際に回動させる９０°位置にストッパを設け、その位置で固定するように構成した請求項１，２，３，４，５，６，７，８，９，１０，１１，１２，１３及び１４のステレオビューファインダを提供する。
【００４２】
この構成によれば、ディスプレイ等が、自重により、落下することがなく、ディスプレイを下方位置に下げるときに、フェースカップリングの割出効果で下方位置よりも、更に下側に回動しようとする作用が働き、また、ディスプレイを上方に揚げるときにも、上方位置よりも更に上側に回動しようとする作用が働くので、その手前の上下範囲９０°の位置でストッパによって制止すれば普通の状態でディスプレイが不用意に動くことがない。
【００４３】
本発明は、屋外でステレオ画像の撮影を行う際に電子ディスプレイに表示されるステレオ画像が視認し易く、また、ステレオビューワとして使用する際も折り畳み自在で簡便に持ち運ぶことができる。また、電子ディスプレイもバックライトとして利用できるのでフィルム方式のステレオビューワとしても使用できる。  
【図面の簡単な説明】
【００４４】
【図１】本発明の第１実施例に係るステレオビューワ／ステレオビューファインダを示す斜視図。
【図２】一対のステレオ画像の表示間隔を示す模式図。
【図３】電子ディスプレイに左右同一のパターンをソフトウェアで表示する一例であり、ステレオ画像を示す模式図であり、（ａ）は、アスペクト比が３：４を示す図であり、（ｂ）は、アスペクト比が１：１．４１を示す図であり、（ｃ）は、アスペクト比が１：１・５を示す図であり、(ｄ)はアスペクト比が９：１６を示す図である。
【図４】電子ディスプレイに撮影情報を表示した状態を示す模式図。
【図５】遮光フードを折り畳んでいる状態を示す斜視図。
【図６】遮光フードを折り畳んだ状態を示す斜視図。
【図７】本発明の第２実施例に係るステレオビューワ／ステレオビューファインダを示す一部切欠斜視図。
【図８】図７に示すステレオビューワ／ステレオビューファインダの第１変形例を示す斜視図。
【図９】図７に示すステレオビューワ／ステレオビューファインダの第２変形例を示す斜視図。
【図１０】本発明の第３実施例に係るステレオビューワ／ステレオビューファインダを示す斜視図。
【図１１】図１０に示す仕切り板とストッパの要部拡大断面図。
【図１２】本発明の第４実施例に係るステレオビューワ／ステレオビューファインダを示す斜視図。
【図１３】図１２に示すルーペとレンズ間隔距離調整機構を示す平面図。
【図１４ａ】ステレオビューワ／ステレオビューファインダの他の実施形態を示す解説図。
【図１４ｂ】ステレオビューワ／ステレオビューファインダの他の実施形態を示す解説図。
【図１４ｃ】ステレオビューワ／ステレオビューファインダの他の実施形態を示す解説図。
【図１５】他の形態の遮光フードの斜視図。
【図１６】ステレオビューファインダをステレオカメラに取り付けた状態を示す斜視図。
【図１７ａ】ステレオカメラにステレオビューファインダを取り付けた状態を示す斜視図。
【図１７ｂ】ステレオカメラにステレオビューファインダを取り付けた状態を示す断面図。
【発明を実施するための形態】
【００４５】
本発明は、屋外でステレオ画像の撮影や鑑賞を行う際に、電子ディスプレイに表示されるステレオ画像が視認し易く、また、簡便に持ち運ぶという目的を達成するために、一対のステレオ画像を表示する電子ディスプレイを備えた電子機器に用いられるステレオビューワ及び／又はステレオビューファインダであって、電子ディスプレイ上に取り付けられて折り畳み可能な遮光フードと、ステレオ画像を視る一対のレンズを備え、遮光フードの内壁部にヒンジ部を介して取り付けられて電子ディスプレイに対して平行に展開可能なルーペと、を備えていることにより実現した。
【実施例】
【００４６】
以下、本発明の第１実施例に係るステレオビューワ／ステレオビューファインダについて、図１乃至６図面に元づいて説明する。
【００４７】
図１に示すように、ステレオビューワ／ステレオビューファインダ１は、電子ディスプレイとしての液晶ディスプレイＤを備えた図示しないディジタルステレオカメラに適用されて、ビューワ及びビューファインダとして用いられる。なお、液晶ディスプレイＤは、有機ＥＬであっても構わない。
【００４８】
ディジタルステレオカメラは、レンズと撮像素子を夫々２つ備えたものであっても、レンズと撮像素子とを夫々３つ備えて、被写体との距離に応じて撮影レンズの光軸間距離を変更可能なものと等であっても構わない。
【００４９】
図２に示すように、一対のステレオ画像をＳＲ、ＳＬは、基準ディメンション表示画面Ｓ上に投影されるように表示される。ここで、「基準ディメンション表示画面Ｓ」とは、ステレオ画像ＳＲ、ＳＬを視る観察者の視野が合致する位置をいう。一対のステレオ画像ＳＲ、ＳＬ間の表示画像Ｗ１は、観察者の瞳間隔をＢ、瞳から液晶ディスプレイＤまでの距離をＬ１、観察者の瞳から基準ディメンション表示画面Ｓまでの距離をＬ０とすると、
Ｗ１＝Ｂ(１−Ｌ１／Ｌ０)の関係式により設定される。
【００５０】
したがって、一対のステレオ画像ＳＬ、ＳＲは、液晶ディスプレイＤ上に互いに表示間隔Ｗ１だけ離れて表示されればよく、図３に示すように、液晶ディスプレイＤに互いに表示間隔Ｗ１だけ離間した一対の表示ウィンドウＷＲ、ＷＬを設けて、各表示ウィンドウＷＲ、ＷＬにステレオ画像ＳＲ、ＳＬを夫々表示させても構わない。例えば、瞳から基準ディメンション表示画面Ｓまでの距離Ｌ０を２５００ｍｍ、基準ディメンション表示画面幅Ｗ０を１８００ｍｍ、表示ウィンドウＷＲ、ＷＬの幅Ｗ２を５５ｍｍとすると、瞳から液晶ディスプレイＤまでの距離Ｌ１は、１８００／５５＝３２.７２７２  ２５００／３２.７２７２＝７６．３９(ｍｍ)となり、７６．３９ｍｍとなる。
【００５１】
そして、後述のビューワのレンズ(左右一対のルーペ)２０の焦点距離は、理論的には７６．３９ｍｍ  になるが、７０ｍｍ〜８０を使用しても差し支えない。これはユーザーの視度を調整しているためで、ユーザーの視度によってはさらなる補正が必要な場合(視度が極端に標準値から離れている人は更に上記範囲外の焦点距離のルーペを使用したほうが良い場合もある)がある。また、観察者の瞳間隔Ｂを６５ｍｍすると、一対のステレオ画像ＳＲ、ＳＬ間の表示間隔Ｗ１は、
上記関係式よりＷ１＝Ｂ(１−Ｌ１／Ｌ０)＝６５（１−７６.３９／２５００）＝６３．０１ｍｍとなる。
【００５２】
また、表示ウィンドウＷＲ、ＷＬには、ステレオ画像ＳＲ、ＳＬに重ねて視準パターンＰを任意に表示させても構わない。これにより、撮影時也撮影後に被写体の構図を簡単に確認することができる。ステレオカメラのファインダとして使用する場合、この視準パターンＰの立体像が見える距離は、左右の視野が合致する位置であるので、２５００ｍｍの距離に見えることになる。
【００５３】
しかし、この２５００ｍｍは、設定値であるので、これに限定されることはない。ステレオ写真を撮影する場合、この視準パターンの向こう側に被写体の立体像が見えるように撮影すべきである。もし、被写体の立体像が視準パターンの立体像よりも手前側に見える場合、視準パターンが二重にずれて見えることになる。もし、被写体の立体像が視準パターンよりも手前側に見えても、背後に映る視準パターンがずれて見えなければ、撮影しても良い範囲である。
【００５４】
また、表示ウィンドウＷＲ、ＷＬのアスペクト比は任意に変更しても構わない。特に、表示ウィンドウＳＲ、ＳＬの幅Ｗ２を一定に保ちながら、高さＨを変更することにより、アスペクト比の変更前後で一対のステレオ画像ＳＲ、ＳＬ間の表示間隔Ｗ１を一定に保つことができる。
【００５５】
また、図４に示すように、撮影時や撮影後に表示されるステレオ画像ＳＲ、ＳＬの解像度等の撮影データや編集データを表示するデータ表示ウィンドウＷＤを、液晶ディスプレイＤＳのうち表示ウィンドウＷＲ、ＷＬを除く領域に表示するのが好ましい。これにより、撮影データ又は編集データがステレオ画像ＳＲ、ＳＬ上に重ねて表示されることが回避されて、ステレオ画像ＳＲ、ＳＬが見易くなる。
【００５６】
なお、左右の画面に表示する視準パターンは、撮影にはどうしても必要であるが、煩わしく感じる場合がある（撮影者の好みによる）よって、カメラに取り付けてステレオビューファインダとして撮影する時のみ表示し、押しボタン等でＯＮ／ＯＦＦ 切り換えて表示するか、また、シャッターボタンを半押した時のみ数秒間タイマーで表示するようにしても良い。また、ステレオビューワとして使用する時に検査用として視準パターンを表示してもよい。しかし、一般的には、撮影時には視準パターンを表示し、ステレオビューワとして使用するときには非表示にすると良い。
【００５７】
次に図１に基づいて、本実施例に係るステレオビューワ／ステレオビューファインダ１の構造について説明する。ステレオビューワ／ステレオビューファインダ１は、液晶ディスプレイＤ上に取り付けられる遮光フード１０と、液晶ディスプレイＤに平行に展開可能な一対のルーペ２０と、を備えている。
【００５８】
遮光フード１０は、矩形の液晶ディスプレイＤの周縁に沿って夫々立設する前方壁部１１、後方壁部１２、左方壁部１３、右方壁部１４で構成されて、遮光フード１０は、後述するように折り畳み可能になっている。前方壁部１１の下部は、フードフレーム１５に対して回転軸Ａ１まわりに回動可能に固定されている。左方壁部１３は、中央ヒンジ部１３ａで内側に屈曲可能に構成されている。また、右方壁部１４は、中央ヒンジ部１４ａで内側に屈曲可能に構成されている。
【００５９】
なお、遮光フード１０は、液晶ディスプレイＤに対して着脱自在なものであっても、液晶ディスプレイＤに一体に取り付けられるものであっても構わない。
【００６０】
ルーペ２０は、一対のレンズ２１Ｒ、２１Ｌと、一対のレンズ２１Ｒ、２１Ｌを収容するレンズホルダ２２と、を備えている。
【００６１】
一対のレンズ２１Ｒ、２１Ｌは、レンズ２１Ｒ、２１Ｌの光軸間距離が一般的な観察者の瞳間隔Ｂ（例えば、６５ｍｍ）に等しくなるようにレンズホルダ２２内に配置されている。
【００６２】
レンズホルダ２２は、ヒンジ部２３を介して遮光フード１０の前方内壁１１ａにとりつけられており、ヒンジ部２３の回転軸Ａ２まわりに９０°回動することができる。レンズホルダ２２を前方内壁面１１ａから略９０°持ち上げることにより、ルーペ２０を液晶ディスプレイＤとほぼ平行に展開することができる。なお、図１中の符号２３ａは、レンズホルダ２２を回動させるツマミである。
【００６３】
次に、遮光フード１０の折り畳み手順について、図５及び６に基づいて説明する。なお、図５及び図６では、ルーペ２０を省略している。
【００６４】
図５に示すように、遮光フード３は、左方壁部１３及び右方壁部１４を夫々略半分に折り畳み、後方壁部１２を前方壁部１１に向けてフードフレーム１５上をスライドさせながら、前方壁部１１を内側に倒すことにより、遮光フード１０をコンパクトに折り畳むことができる。
【００６５】
また、図６に示すように、遮光フード１０を立ち上げる際には、前方壁部１１を上に持ち上げるだけで、中央ヒンジ部１４ａ、１５ａに設置された図示しないねじりコイルばねの付力によって左方壁部１３及び右方壁部１４が広がり、遮光フード１０を簡便に展開することができる。
【００６６】
このようにして、本時実施例に係るステレオビューワ／ステレオビューファインダ１は、屋外でステレオ画像を撮影や鑑賞を行う際に、遮光フード１０が液晶ディスプレイＤへの外光の侵入を防止して、液晶ディスプレイＤに表示されるステレオ画像ＳＲ、ＳＬが視認し易い。また、フード格納時には、遮光フード１０を小さく折り畳めて、簡便に持ち運ぶことができる。
【００６７】
次に、本発明の第２実施例に係るステレオビューワ／ステレオビューファインダについて、図７に基づいて説明する。ここで、本実施例に係るステレオビューワ／ステレオビューファインダと、上述した第１実施例に係るステレオビューワ／ステレオビューファインダとで共通する構成については、重複する説明を省略する。
【００６８】
ステレオビューワ／ステレオビューファインダ１は、ルーペ２０を液晶ディスプレイＤに対して垂直な垂直方向Ｖに昇降可能なルーペ昇降機構Ｘを備えている。
【００６９】
ルーペ昇降機構Ｘは、前方内壁面１１aの中央に垂直方向Ｖに沿って形成された断面コ字状スリット１１ｂに嵌め込まれたコラム１６と、コラム１６の側端部１６aに垂直方向Ｖに沿って延設されたウォームネジ１７と、ウォームネジ１７に噛み合う入力ギヤ１８と、を備えている。
【００７０】
コラム１６は、ヒンジ部２３を介してルーペ２０に接続されている。具体的には、レンズホルダ２２の上端部２２aが、ヒンジ部２３を介してコラム１６の上端１６ｂに連結されている。
【００７１】
コラム１６は、前方壁部１１とは独立して設けられており、スリット１１ｂ内を垂直方向Ｖに昇降自在で、前方壁部１１よりも垂直方向Ｖの上方に上昇可能になっている。すなわち、前方壁部１１の上端の高さ（例えば、５０ｍｍ）に加えて、前方壁部１１の上端より上方に突出したコラム１５の長さ（例えば、１５ｍｍ）の分だけ、液晶ディスプレイＤとルーペ２０とを離間することができる。これにより、遮光フード１０の高さよりも長い設置距離（例えば、６５ｍｍ）にルーペ２０を上昇させることができる。
【００７２】
なお、前記段落[００５１］の途中において、「…７０〜８０ｍｍを使用しても差し支えない。…」としていて、上記の「…遮光フード１０の高さより長い距離(例えば６５ｍｍ)…」と、一見矛盾しているように思われるが、実際には、ルーペを覗く場合の物体とルーペとの距離は、ルーペの焦点距離よりもやや短くなるためである。
【００７３】
コラム１６の側端部１６aには、上部及び下部から垂直方向Ｖに対して垂直な水平方向Ｈに向かって支持アーム１６ｃが突設されている。
【００７４】
ウォームネジ１７は、支持アーム１６ｃに回動可能に支持されたウォーム軸１７ａと、ウォーム軸１７aの周面に形成されたウォーム１７ｂとを備えている。ウォームネジ１７は、入力ギヤ１８の回動に連動して、ウォーム軸１７aまわりに回動する。ウォームネジ１７の回動に連動して昇降する。
【００７５】
ウォーム軸１７a の上端には、ウォーム軸１７aと一体に取り付けられて、ウォームネジ１７をウォーム軸１７aまわりに回動させる微調整ノブ１７ｃが設けられている。
【００７６】
入力ギヤ１８は、前方内壁１１aに突設された回転軸１８aに軸支されている。なお、入力ギヤ１８としては、例えば、ウォームホイールやヘリカルギヤ等が用いられる。
【００７７】
入力ギヤ１８は、前方壁部１１から外方に突出する突出部分１８ｂを有している。観察者は、突出部分１８ｂを介して入力ギヤ１８を回転軸１８まわりに回動させることができる。
【００７８】
入力ギヤ１８の歯溝には、ウォーム１７ｂと入力ギヤ１８との噛み合いを妨げる図示しない昇降ストッパが配設されている。ウォーム１７ｂが昇降ストッパを配設した歯溝に噛み合うと、ウォームネジ１７の回動は制止される。なお、符号１８ｃは、昇降ストッパを配置した位置、即ち、入力ギヤ１８の回転限界位置を示すマーカーである。
【００７９】
昇降ストッパは、ウォーム１７ｂと入力ギヤ１８との噛み合いを妨害するものであれば良く、例えば、歯溝に金属片を貼り付けて歯溝を埋め合わせて形成されるものであっても、歯溝に金属片を溶接して歯溝を埋め合わせて形成されるものであっても、歯切りの際に一つの歯溝を歯切りせずに残して形成されるものであっても構わない。
【００８０】
次にルーペ２０を昇降させるルーペ昇降装置２０の作用について、図面に基づいて説明する。
【００８１】
観察者がルーペ２０を上昇させる際には、入力ギヤ１８の突出部分１８ｂを回転軸１８a まわりに時計まわりに回動させる。ルーペ２０を下降させる際には、入力ギヤ１８の突出部分１８ｂを回転軸１８aまわりに反時計まわりに回動させる。なお、ルーペ２０の昇降は、上述した入力ギヤ１８の回動方向を変更して切り換え可能なため、以下、ルーペ２０を上昇させる場合について説明する。
【００８２】
ウォーム１７ｂが入力ギヤ１８と噛み合い、ウォームネジ１７が入力ギヤ１８の回動に連動して垂直方向Ｖの上向きに上昇する。
【００８３】
ルーペ２０と液晶ディスプレイＤとの距離がルーペ２０の焦点距離に一致するまでコラム１６が上昇し続けると、昇降ストッパがウォーム１７ｂと入力ギヤ１８との間に介在して、ウォームネジ１７の回動は止まり、コラム１６とルーペ２０とは位置決めされる。
【００８４】
したがって、ルーペ２０の焦点距離と、観察者の視度に応じて昇降ストッパを配置することができることによって、視度調整を簡単に行うことができると共に、ルーペ２０を固定することができる。
【００８５】
更に、微調整ノブ１７ｃを介してウォームネジ１７を僅かに回動させることにより、コラム１６とルーペ２０とが僅かに昇降するため、液晶ディスプレイＤに対するルーペ２０の位置を微調整することができる。
【００８６】
このようにして、本実施例に係るステレオビューワ／ステレオビューファインダ１は、第１実施例のステレオビューワ／ステレオビューファインダが奏する効果に加えて、ルーペ２０の視度を調整することができる。
【００８７】
なお、図８に示すように、ルーペ昇降機構Ｘは、コラム１６と、コラム１６の下部に設けられたストッパ孔１６ｄと、ストッパ孔１６ｄに挿通されてコラム１６を所望の位置で位置決めするストッパピン１６eと、で構成されても構わない。これにより、コラム１６を所望の位置まで上昇させた後に、ストッパ孔１６ｄにストッパピン１６ｅを挿通するだけで、コラム１６を位置決め可能なため、ルーペ昇降機構Ｘを低コストで設けることができる。
【００８８】
また、図９に示すように、遮光フード１０は、フードフレーム１５の下方にスライドホルダ１９を配置して、フードフレーム１５とスライドホルダ１９とで銀塩ステレオスライドＳＳを挿入するスロット１９ａを形成し、液晶ディスプレイＤを、銀塩ステレオスライドＳＳのバックライトとして白色を表示させるものであっても構わない。観察者の瞳と銀塩ステレオスライドＳＳとの距離は、観察者の瞳と液晶ディスプレイＤとの距離よりも短いため、ルーペ２０を垂直方向にＶに昇降させて視度調整することにより、観察者は、銀塩ステレオスライドＳＳと液晶ディスプレイＤとを任意に選択することができる。
【００８９】
これは、本発明の特徴の一つである。即ち、視度調整は、個々のユーザーによって異なり、そのため個々のユーザーによって異なった値に調整できる必要があると同時に、例えば、同一のユーザーが使用する場合には、何時でも一定の位置に、即座に調整できる必要があり、図７に示す構造は、その要素を備えている。
【００９０】
また、液晶ディスプレイを見る場合と、銀塩ステレオ写真を見る場合とで、焦点調整を変える必要があるが、この調整は、図７の微調整ノブ１７ｃを回すのみで対応できる。
【００９１】
そして、一度調整すれば、その調整位置は使用時に一定位置に調整される。図示は省略しているが、例えば、微調整ノブ１７ｃの外側の溝等にスプリング等でストッパを、押し付け、所謂クリックストップ機構を設けるか、又は、容易に回転しないように回転に対して抵抗を付けておけば、調整位置は常に一定位置に再現される。
【００９２】
また、図９において、スロット１９ａに銀塩ステレオスライドＳＳを挿入する際に、銀塩ステレオスライドＳＳを載置する排出レバー１９ｂを設けても構わない。これにより、銀塩ステレオスライドＳＳを容易に出し入れすることができる。また、液晶ディスプレイを白色表示して、バックライトとして使用するとき、液晶のピクセル間の黒色の線が目立つことがある。この黒色の線が銀塩ステレオスライドを見て、目立てば、画質がはなはだしく低下する問題がある。
【００９３】
そのために、光線を散乱させるためのデヒューザーを挿入することである。デヒューザーは、単に白色のフィルム状のシートでよく、ステレオスライドと同時に２枚を挿入しても良いが、ステレオスライドを観るときには何らかの方法で固定しておくべきである(図示省略)なお、デヒューザーと、ステレオスライドとの間はできるだけ離しておくと良い。
【００９４】
次に、本発明の第３実施例に係るステレオスライドビューワ／ステレオビューファインダについて、図１０、図１１に基づいて説明する。ここで、本実施に係るステレオビューワ／ステレオビューファインダと上述した第１実施例に係るステレオビューワ／ステレオビューファインダとで共通する構成については、重複する説明を省略する。
【００９５】
ステレオビューワ／ステレオビューファインダ１は、一対のレンズ２１Ｒ、２１Ｌの視野を仕切る仕切板３０を備えている。
【００９６】
仕切板３０の支持側端部３０ａは、図示しないヒンジ部を介して前方内壁面１１aに対向する後方内壁面１２aに取り付けられており、仕切板３０は、液晶ディスプレイＤに対して垂直な回転軸Ａ３まわりに回動することができる。また、仕切板３０の仕切側端部３０aには、ヒンジ部の図示しないねじりコイルバネによって、仕切り板３０を展開する方向、即ち、図１０中の回転軸Ａ３まわりに紙面の時計回りの付勢力が作用している。
【００９７】
仕切り板３０の回動側端部３０ｂは、垂直方向Ｖに平行な状態に位置し、且つ、水平方向Ｈにスライド可能な回動ストッパ４０に掛止されて、遮光フード１０の後方壁部１２に一体に固定されている。
【００９８】
回動ストッパ４０は、遮光フード１０の後方壁部１２に形成された挿通孔１２ｂ内を挿通して先端で仕切板３０の回動端側部３０ｂに掛止するＬ字状のフック部４１と、フック部４１を水平方向Ｈの外側から内側に向かって付するＵ字状バネ４２と、フック部４１の先端に水平方向Ｈの外側から内側に向かってテーパ状に形成されたガイド部４３と、を備えている。
【００９９】
次に仕切板３０を展開させる手順について説明する。
【０１００】
ルーペ２０が液晶ディスプレイＤと平行に展開されている状態で、フック部４１が挿通孔１２ｂ内で水平方向Ｈの内側から外側にスライドすると、仕切り板３０とフック部４１の掛け止が解除されて、仕切板３０が回転軸Ａ３まわりに回動になる。
【０１０１】
ねじりコイルバネの付勢力が、仕切り板３０の回転側端部３０ｂをルーペ２０の下方に設けられたストッパピン１１ｃに当接するまで仕切板３０を回動させて、仕切板３０が、前方内壁面１１ａと後方内壁面１２ａとの間に渡設される。
【０１０２】
次に、仕切板３０を後方内壁面１２ａに固定する手順について説明する。
【０１０３】
仕切板３０の回動側端部３０ｂを回動ストッパ４０のガイド部４３まで回動させると、仕切板３０は、Ｕ字状バネ４２のフック部４１を水平方向Ｈの外側から内側へ付する付に抗しながら、フック部４１を水平方向Ｈの内側から外側にスライドさせる。
【０１０４】
仕切板３０の回動側端部３０ａと回動ストッパ４０のガイド部４３とが離れるまで、仕切板３０が後方内壁面１２ａに近接すると、Ｕ字状バネ４２の付力によって、フック部４１が、水平方向Ｈの外側から内側にスライドして仕切板３０の回動側端部３０ｂに掛止し、仕切板３０が後方内壁面１２ａに固定される。
【０１０５】
このようにして、本実施例に係るステレオビューワ／ステレオビューファインダ１は、第１実施例のステレオビューワ／ステレオビューファインダ１が奏する効果に加えて、仕切板３０が一対のステレオ画像ＳＲ、ＳＬの視野を仕切ることにより、一対のステレオ画像ＳＲ、ＳＬを立体視し易くなる。また、仕切板３０は、遮光フード１０の展開時、格納時に応じて開閉することができる。
【０１０６】
次に、本発明の第４実施例に係るステレオビューワ／ステレオビューファインダについて、図１２及び図１３に基づいて説明する。ここで、本実施例に係るステレオビューワ／ステレオビューファインダと上述した第１実施例に係るステレオビューワ／ステレオビューファインダとで共通する構成については、重複する説明を省略する。
【０１０７】
ルーペ２０は、一対のレンズ２１Ｒ、２１Ｌと、レンズ２１Ｒ、２１Ｌを夫々収容する一対のレンズホルダ２２Ｒ、２２Ｌと、一対のレンズホルダ２２Ｒ、２２Ｌを載置しヒンジ部２３を介して前方壁部１１に連結される支持台２４と、で構成されている。
【０１０８】
一対のレンズホルダ２２Ｒ、２２Ｌは、支持台２４に突設されたピン２５Ｒ、２５Ｌに夫々軸支されている。ピン２５Ｒ、２５Ｌ間の距離は、６５ｍｍに設定されており、一対のレンズ２２Ｒ、２２Ｌの光軸間距離（以下、「レンズ間距離」という）は、通常、ピン２５Ｒ、２５Ｌ間の距離と等しい６５ｍｍに設定されている。
【０１０９】
ピン２５Ｒ、２５Ｌは、一対のレンズ２２Ｒ、２２Ｌの上方に夫々配置されている。なお、ピン２５Ｒ、２５Ｌの具体的な配置位置は、レンズ間距離を調整可能であれば良く、一対のレンズ２２Ｒ、２２Ｌの中心を結んだ直線状を除けば、ピン２５Ｒ、２５Ｌ同士を結んだ直線がレンズ２２Ｒ、２２Ｌの中心を結んだ直線と平行になるように夫々配置されていれば、いかなる場所であっても構わない。
【０１１０】
一対のレンズ２１Ｒ、２１Ｌ間のレンズ間距離を調整可能なレンズ間距離調整機構Ｙは上述した一対のレンズホルダ２２Ｒ、２２Ｌと、一対のレンズホルダ２２Ｒ、２２Ｌ同士の対向面２２ｂに互いに噛み合い可能に形成されたセグメントギヤ２６Ｒ、２６Ｌと、を備えている。
【０１１１】
これにより、一対のレンズ２１Ｒ、２１Ｌ同士を互いに接近させるようにレンズホルダ２２Ｒ、２２Ｌが回動すると、レンズ間距離は狭まり、一対のレンズ２１Ｒ、２１Ｌ同士を互いに離間させるようにレンズホルダ２２Ｒ、２２Ｌが回動すると、レンズ間距離は広がるため、観察者の眼幅に応じて、一対のレンズ２１Ｒ、２１Ｌ間のレンズ間距離を調整することができる。
【０１１２】
また、レンズホルダ２２Ｒ、２２Ｌが回動する際に、セグメントギヤ２６Ｒ、２６Ｌ同士が噛み合うことにより、レンズホルダ２２Ｒ、２２Ｌが連動して回動するため、レンズ間距離の調整に伴う作業負担を軽減することができる。
【０１１３】
また、レンズ間距離調整機構Ｙは、レンズホルダ２２Ｒ、２２Ｌのか回動を規制するか回動ストッパ２７を備えている。過回動ストッパ２７は、一対のレンズホルダ２２Ｒ、２２Ｌが過度に接近することを防止する過接近ストッパ２７ａと、一対のレンズホルダ２２Ｒ、２２Ｌが過度に離間することを防止する過離間ストッパ２７ｂと、を備えている。
【０１１４】
過接近ストッパ２７aは、レンズホルダ２２Ｒ、２２Ｌの後部で対向面２２ｂから突設された突片であって、レンズホルダ２２Ｒ、２２Ｌと一体に形成されている。過接近ストッパ２７aは、レンズ間距離が所定の下限値（例えば、５８ｍｍ）に達した際に、過接近ストッパ２７a同士が当接するように配置されている。過接近ストッパ２７aの具体的な配置位置や長さは、レンズ間距離の下限値に応じて任意に設定される。
【０１１５】
過離間ストッパ２７ｂは、レンズホルダ２２Ｒ、２２Ｌの対向面２２ｂの一部を矩形に切り欠いた切欠部２２ｃ内に配置されて、支持台上に立設されたピンである。過離間ストッパ２７ｂは、レンズ間隔が所定の上限値（例えば、７２ｍｍ）に達した際に、切欠部２２ｃの内周面２２ｄに過離間ストッパ２７ｂに当接するように配置されている。過離間ストッパ２７ｂの配置位置や大きさは、レンズ間距離の上限値に応じて任意に設定される。
【０１１６】
これにより、過回転ストッパ２７が、レンズホルダ２２Ｒ、２２Ｌの過度な回動を抑制して、一対のレンズ２１Ｒ、２１Ｌ間のレンズ間距離を所望の範囲内で円滑に調整することができる。
【０１１７】
このようにして、本実施例に係るステレオビューワ／ステレオビューファインダ１は、第一実施例のステレオビューワ／ステレオビューファインダ１が奏する効果に加えて、観察者の瞳間隔に応じて、レンズ間距離を調整することができる。
【０１１８】
次に第５実施例について説明する。図１４ａ,  ｂ, ｃ  に表示する左右一対のレンズユニット５０は、図１２に表示するステレオビューワ／ステレオビューファインダ１とは、別の実施形態であり、レンズユニット以外のディスプレイＤ、遮光フード１０、コラム１６等は図１２と共通部分である。
【０１１９】
図１４ａに表示するレンズユニット５０は、下部にベースプレート２４０がディスプレイＤに対し、９０°回動可能状態で取り付けられている。そのベースプレート２４０の左右の下部には後述のレンズホルダ５２Ｒ、５２Ｌを取り付けてスイベルさせる左右の支点のピン５４Ｒ、５４Ｌの孔（記号なし）が開設されている。また、レンズ５１Ｒ、５１Ｌを重ねる部分はレンズホルダ５２Ｒ、５２Ｌをスイベルさせても干渉しないようにレンズよりも大きな孔５３Ｒ、５３Ｌが開設されている。
【０１２０】
即ち、ベースプレート２４０上には、左右のレンズホルダ５２Ｒ、５２Ｌが、左右のピン５４Ｒ、５４Ｌによって、夫々のピン５４Ｒ、５４Ｌを中心として回動自在に取り付けられている。そして、左右のレンズホルダ５２Ｒ、５２Ｌは、スプリング５７によって、互いが接近する方向に力が加えられている。
【０１２１】
更に、左右のレンズホルダ５２Ｒ、と５２Ｌの左右方向の中間部には、ベースプレートに開けた孔（記号なし）に対してカムシャフト５６が挿入され、そのカムシャフト５６には、カム５５Ｒ、カム５５Ｌが取り付けられていて、カムシャフト５６の頭部を指で回すことによって、最終的には、左右のレンズ５１Ｒ、５１Ｌの間隔が調整される。
【０１２２】
図１４ｂは、カムシャフト５６を中心とした一部断面図で、カム５５Ｒがレンズホルダ５２Ｒの端面を押す状態を示し、カム５５Ｌがレンズホルダ５２Ｌを押す状態を示している。カム５５Ｒ、５５Ｌは実際には１ｍｍ前後の極薄いもので、浮き上がり防止のため、図１４ｂのワッシャ５８を取り付けたほうが良い。ワッシャ５８は、軸に圧入して一緒に回転しても差し支えない。
【０１２３】
図１４ｃは、カムシャフト５６とカム５５Ｒ、カム５５Ｌとの組み立て状態を示す一例で、カムシャフト５６には、カムシャフト５６に対して、カム５５Ｒ、カム５５Ｌの回転方向の位置を保つためのキー溝が構成されている。このキー溝は２本でも良いが、２本の溝を設けるのは正確に割り出す必要があり、また、小さな軸であっても溝は機械加工によって行わなければならず多大な労力を要するため一本の溝にした方が有利である。
【０１２４】
そして、カム５５Ｒ及び５５Ｌは、外形及び孔をプレスで打ち抜く(厚さ１ｍｍ前後)ため、孔に対しキー溝に嵌る部分の位置が５５Ｒと５５Ｌとで互いに反対であってもあまり問題にならないようである。また、カム５５Ｒと５５Ｌとの外形は同一のカムを１８０°回しただけと思われるが、レンズホルダ５２Ｒとレンズホルダ５２Ｌとの端面が平行でなくなるため、接触角の変化により同一プロフィールのカムを使用することができず二種類のカムを作る必要がある。
【０１２５】
また、左右のレンズの間隔調整は左右のレンズの移動量が完全に同一でなくても良い場合もある。その場合、左右用のカムは、同一のものも使用できる。
【０１２６】
なお、左右のカムは、厚さ方向に左右間で段差を生ずることになる。よって、カム５５Ｒ、５５Ｌに当接するレンズホルダ５２Ｒと５２Ｌにも段差が必要であるが、レンズホルダ５５の厚さは１ｍｍ程であり、また、カムの厚さも１ｍｍ程度であるので、左右何れかのレンズホルダ５５の端面を上側になるカムの位置に折り曲げておけば良い。
【０１２７】
また、普通のカメラに使用するもので、図１５に図示するような遮光フード６０も用いられている。この遮光フード６０を折り畳むときは、左右の側壁６３、６４を、左右何れかの順番で折り畳み、その後、後部側壁６７を畳み、最後に前部側壁６１を折り畳むことになる。この遮光フード６０を使用するには多少使い辛いことではあるが、コストが低廉であり、経済的で有利となる。
【０１２８】
図１５に表示する遮光フードは、他の実施例であり、図５及び図６に表示の遮光フードとは異なり、ワンタッチで開閉することはできない。図１５の遮光フードを開くときには、先ず、前蓋６１を開き、その次に、後蓋６２を開いて、その後、横蓋６３又は６４の何れかの順番に開くことになる。また、図示の遮光フードを閉じるときには、開くときとは反対の順番で、横蓋６３又は６４を順次閉じ、その後、後蓋６２を閉じて、前蓋６１を閉じればよい。このように、開閉には、図５に表示の遮光フードよりも手間がかかるが、その分設計が容易で、製造費も易くなる。
【０１２９】
図示は省略するが、この図１５に図示の遮光フードに、図１のルーペ２０及び図３に表示するディスプレイ（パターン）、図７に表示の第２実施例、図１０の第３実施例、ステレオカメラ２図１６は、ステレオビュ―ファインダ１をステレオカメラ２に取り付けて使用した場合の図であり、ディスプレイが上方行に９０°回動可能構造になっていて、図示は矢印方向に９０°回動した場合である。
【０１３０】
図１７は、ステレオビューファインダ１をステレオカメラ２に取り付ける構造の一例であり、ディスプレイに設けた孔７２及び７３を取り付け孔とする。ディスプレイに設けた孔７３は単にディスプレイの横に孔７３を設けただけであるが、孔７２は、フェースカップリング７８の中心に設けてある（フェースカップリングの孔でも良い）その、孔７２及び７３をカメラ側に設けたピン７４及び７５で挟むだけで取り付けることができる。
【０１３１】
ネジ８０は、締め付けた時にネジの先端をフェースカップリング７７及び７８が、回転した時の最大長さよりも、更に僅かな隙間を持たせるように長さを調整しておくことである。取り付けるだけならばネジ８０だけでも良いがクリック作用効果を発揮させるためにはコイルスバネ７９で加圧しておく必要が生ずる。更にコイルバネ７９により、ピン７５がピン移動用孔８３より、飛び出してしまうので、ピン移動用部品７６により飛び出し防止を図ると同時にピン移動用部品７６は、実際にステレオカメラ２からステレオビューファインダ１を取り外すときピン７５がコイルバネ７９によって前進しているので、ピン７５を後退させる手がかりがない。
【０１３２】
よってピン移動用部品７６も必要になる。単に作用だけならば、ネジ８０は不要である、しかし、うっかりピン移動部品７６を移動させれば、瞬時にステレオビューファインダ１は、ステレオカメラ２から落ちてしまうことになる。落下防止にはどうしてもネジ８０は必要である。
【０１３３】
また、カップリング７７はカメラ側に設けたピン７４に圧入されている(図１７ｂにおいて、断面形状に“段”が付いているが、図示の表現上であり、このような団は無くても良い)そして、カップリング位置決めピンによって回転方向の位置は位置決めされる。この時ディスプレイ側のカップリング７８は、一体に成型されていて、あらかじめ位置決めされている。そして、カメラ側に設けたピン７４の先端とカップリング７８の孔は、緩い嵌合状態になっているので、多少の斜め状態であっても容易く取り付けることができる。そこで、ネジ８０を緩め、ピン移動用ネジ７６を右方向に動かせば、ピン７５の先端はピン移動用孔８３の左端面よりも後退するのでディスプレイＤを取り付けることができる。
【０１３４】
また、ディスプレイＤ及び遮光フード１が重力等で降下しないようにフェースカップリング７７及び７８を備えている。フェースクカップリング機構は常にコイルバネ７９がピン７５を介して作用している。  更にカメラ本体２とディスプレイＤ同士自体が回動の下限方向のストッパになっていて、上方向の限界値は９０°（９０°に限定されない）開いた位置で、その限界位置はストッパ８２が作用する。フェースカップリング７７、７８が作用し、９０°以上回動しようとするので、上下方向のストッパによって回動は制限されディスプレイが収納時等に不用意に回動(スイベル)することを防止できるという効果がある。
【０１３５】
また、図示は省略するが、カメラから取り外し、ステレオビューワとして使用するときを考慮してリムーバブルメモリをディスプレイ側に設けるか、接続可能構造にしておくべきである。また、電池又は、外部電源が使用できるように構成し、ディスプレイ駆動機構はステレオビューワ側（ディスプレイ側）に設けるべきである。
【０１３６】
本発明に係るステレオビューワ及びステレオビューファインダの兼用構造を適用する電子機器はステレオ画像を表示可能な電子ディスプレイを備えるものであれば如何なるものであっても良く、例えば、携帯電話、ディジタルカメラ、画像生成装置であっても構わない。
【０１３７】
なお、本発明は、本発明の精神を逸脱しない限り種々の改変をなすことができ、そして、本発明が該改変されたものにも及ぶことは当然である。
【符号の説明】
【０１３８】
１  ・・・  ステレオビューワ／ステレオビューファインダ
２  ・・・  ステレオカメラ
１０・・・  遮光フード
１１・・・  前方壁部
１１ａ・・・前方内壁部
１１ｂ・・・スリット
１１ｃ・・・ストッパピン
１２・・・  後方壁部
１２ａ・・・後方内壁部
１２ｂ・・・挿通孔
１３・・・  左方壁部
１４・・・  右方壁部
１５・・・  フードフレーム
１６・・・  コラム
１６ａ・・・側端部
１６ｂ・・・上端部
１６ｃ・・・支持アーム
１６ｄ・・・ストッパ孔
１６ｅ・・・ストッパピン
１７・・・  ウォームネジ
１７ａ・・・ウォーム軸
１７ｂ・・・ウォーム
１７ｃ・・・微調整ノブ
１８  ・・・入力ギヤ
１８ａ・・・入力軸
１８ｂ・・・突出部
１８ｃ・・・(昇降ストッパの位置を示す)マーカー
１９・・・  スライドホルダ
１９ａ・・・スロット
１９ｂ・・・排出レバー
２０・・・  ルーペ
２１Ｌ、２１Ｒ・・・一対のレンズ
２２・・・  レンズホルダ
２２ａ・・・上端部
２２ｂ・・・対向面
２２ｃ・・・切欠部
２２ｄ・・・内周面
２３・・・  ヒンジ部
２４・・・  支持台
２５・・・  ピン
２６・・・  セグメントギヤ
２７・・・  過回動ストッパ
２７ａ・・・過接近ストッパ
２７ｂ・・・過離間ストッパ
３０・・・  仕切板
３０ａ・・・支持側端部（一方端部）
３０ｂ・・・回動端部（他方端部）
４０・・・  回動ストッパ
４１・・・  フック部
４２・・・  Ｕ字状バネ
４３・・・  ガイド部
５０・・・  レンズユニット
５１Ｌ、５１Ｒ・・・一対のレンズ
５２Ｌ、５２Ｒ・・・一対のレンズホルダ
５３Ｌ、５３Ｒ・・・ベースプレート上の一対の孔
５４Ｌ、５４Ｒ・・・ピン
５５Ｌ、５５Ｒ・・・一対のカム
５６・・・カムシャフト
５７・・・スプリング
５８・・・ワッシャ
５９・・・止めネジ
６０・・・遮光フード
６１・・・前部側壁
６２・・・後部側壁
６３・・・側壁
６４・・・側壁
６５・・・フードフレーム
７１・・・レンズユニットを興すための把手
７２・・・ディスプレイに設けた孔
７３・・・ディスプレイに設けた孔
７４・・・カメラ側に設けたピン
７５・・・カメラ側に設けたピン
７６・・・ピン移動部品
７７・・・フェースカップリング
７８・・・フェースカップリング
７９・・・コイルバネ
８０・・・ネジ
８１・・・カップリング位置決めピン
８２・・・ストッパ
８３・・・ピン移動用孔
７１０・・レンズユニットを興すための把手
Ｐ  ・・・視準パターン
Ｄ  ・・・液晶ディスプレイ
ＳＬ、ＳＲ・・・一対のステレオ画像
【図１】
2015089111.tif 000003
【図２】
2015089111.tif 000004
【図３】
2015089111.tif 000005
【図４】
2015089111.tif 000006
【図５】
2015089111.tif 000007
【図６】
2015089111.tif 000008
【図７】
2015089111.tif 000009
【図８】
2015089111.tif 000010
【図９】
2015089111.tif 000011
【図１０】
2015089111.tif 000012
【図１１】
2015089111.tif 000013
【図１２】
2015089111.tif 000014
【図１３】
2015089111.tif 000015
【図１４ａ】
2015089111.tif 000016
【図１４ｂ】
2015089111.tif 000017
【図１４ｃ】
2015089111.tif 000018
【図１５】
2015089111.tif 000019
【図１６】
2015089111.tif 000020
【図１７ａ】
2015089111.tif 000021
【図１７ｂ】
2015089111.tif 000022
【手続補正書】
【提出日】平成26年8月26日(2014.8.26)
【手続補正２】
【補正対象書類名】明細書
【補正対象項目名】００４１
【補正方法】変更
【補正の内容】
【００４１】
請求項１７記載の発明は、ステレオビューワ／又はステレオビューファインダをステレオカメラに取り付けた時に、取り付け位置の片側にフェースカップリングを設け、そのフェースカップリングをバネで加圧し、カップリングの歯数を３６０°／９０°＝４で割れる数を除いたＮとし、割出角度をｎ＝３６０／Ｎとして、ｎを整数とすれば、  
ｎ（３６０°／Ｎ） ＞９０°で成り立つｎの最小数の回転角度を回動させ、その回動の中間位置を、ディスプレイを実際に回動させる９０°位置にストッパを設け、その位置で固定するように構成した請求項１，２，３，４，５，６，７，８，９，１０，１１，１２，１３及び１４のステレオビューファインダを提供する。
【手続補正３】
【補正対象書類名】明細書
【補正対象項目名】０１３８
【補正方法】変更
【補正の内容】
【０１３８】
１  ・・・  ステレオビューワ／ステレオビューファインダ
２  ・・・  ステレオカメラ
１０・・・  遮光フード
１１・・・  前方壁部
１１ａ・・・前方内壁部
１１ｂ・・・スリット
１１ｃ・・・ストッパピン
１２・・・  後方壁部
１２ａ・・・後方内壁部
１２ｂ・・・挿通孔
１３・・・  左方壁部
１４・・・  右方壁部
１５・・・  フードフレーム
１６・・・  コラム
１６ａ・・・側端部
１６ｂ・・・上端部
１６ｃ・・・支持アーム
１６ｄ・・・ストッパ孔
１６ｅ・・・ストッパピン
１７・・・  ウォームネジ
１７ａ・・・ウォーム軸
１７ｂ・・・ウォーム
１７ｃ・・・微調整ノブ
１８  ・・・入力ギヤ
１８ａ・・・入力軸
１８ｂ・・・突出部
１８ｃ・・・(昇降ストッパの位置を示す)マーカー
１９・・・  スライドホルダ
１９ａ・・・スロット
１９ｂ・・・排出レバー
２０・・・  ルーペ
２１Ｌ、２１Ｒ・・・一対のレンズ
２２・・・  レンズホルダ
２２ａ・・・上端部
２２ｂ・・・対向面
２２ｃ・・・切欠部
２２ｄ・・・内周面
２３・・・  ヒンジ部
２４・・・  支持台
２５・・・  ピン
２６・・・  セグメントギヤ
２７・・・  過回動ストッパ
２７ａ・・・過接近ストッパ
２７ｂ・・・過離間ストッパ
３０・・・  仕切板
３０ａ・・・支持側端部（一方端部）
３０ｂ・・・回動端部（他方端部）
４０・・・  回動ストッパ
４１・・・  フック部
４２・・・  Ｕ字状バネ
４３・・・  ガイド部
５０・・・  レンズユニット
５１Ｌ、５１Ｒ・・・一対のレンズ
５２Ｌ、５２Ｒ・・・一対のレンズホルダ
５３Ｌ、５３Ｒ・・・ベースプレート上の一対の孔
５４Ｌ、５４Ｒ・・・ピン
５５Ｌ、５５Ｒ・・・一対のカム
５６・・・カムシャフト
５７・・・スプリング
５８・・・ワッシャ
５９・・・止めネジ
６０・・・遮光フード
６１・・・前部側壁
６２・・・後部側壁
６３・・・側壁
６４・・・側壁
６５・・・フードフレーム
７１・・・レンズユニットを興すための把手
７２・・・ディスプレイに設けた孔
７３・・・ディスプレイに設けた孔
７４・・・カメラ側に設けたピン
７５・・・カメラ側に設けたピン
７６・・・ピン移動部品
７７・・・フェースカップリング
７８・・・フェースカップリング
７９・・・コイルバネ
８０・・・ネジ
８１・・・カップリング位置決めピン
８２・・・ストッパ
８３・・・ピン移動用孔
７１０・・レンズユニットを興すための把手
Ｐ  ・・・視準パターン
Ｄ  ・・・液晶ディスプレイ
ＳＬ、ＳＲ・・・一対のステレオ画像
２４０・・ペースプレート
ＳＳ・・・ステレオスライド
【手続補正４】
【補正対象書類名】特許請求の範囲
【補正対象項目名】請求項１７
【補正方法】変更
【補正の内容】
【請求項１７】
ステレオビューワ／又はステレオビューファインダをステレオカメラに取り付けた時に、取り付け位置の片側にフェースカップリング機構を設け、そのフェースカップリング機構をバネで加圧し、カップリングの歯数を３６０°／９０°＝４で割れる数を除いたＮとし、割出角度を３６０／Ｎとして、ｎを整数とすれば、  
ｎ（３６０°／Ｎ） ＞９０°で成り立つｎの最小数の回転角度を回動させ、その回動の中間位置を、ディスプレイを実際に回動させる９０°位置にストッパを設け、その位置で固定するように構成した請求項１，２，３，４，５，６，７，８，９，１０，１１，１２，１３及び１４のステレオビューファインダ。
【手続補正書】
【提出日】平成26年11月4日(2014.11.4)
【手続補正１】
【補正対象書類名】明細書
【補正対象項目名】００２７
【補正方法】変更
【補正の内容】
【００２７】
請求項１０記載の発明は、ステレオビューワ／ステレオビューファインダの左右一対のレンズの間隔調整機構であって、左右のレンズの取り付け部を左右のピンによって支え、左右のピン同士の中心部のレンズホルダ上にセグメントギヤを設け、前記左右のピン同士を結ぶ線と直角方向にレンズを取り付けて、左右のセグメントギヤが直接噛み合うことにより左右のレンズ間隔はピンを中心として互いに反対方向に搖動し、左右のレンズ間隔の調節を行うように構成した請求項１のステレオビューワ／ステレオビューファインダを提供する。
【手続補正２】
【補正対象書類名】明細書
【補正対象項目名】００３７
【補正方法】変更
【補正の内容】
【００３７】
請求項１５記載の発明は、電子ディスプレイに表示される左右の画面に左右同一の視準パターンをソフトウェアによって表示するように構成した請求項１乃至１４の何れか１項記載のステレオビューファインダを提供する。
【手続補正３】
【補正対象書類名】明細書
【補正対象項目名】００３９
【補正方法】変更
【補正の内容】
【００３９】
請求項１６記載の発明は、電子ディスプレイを白色表示してバックライトとして利用することにより、遮光フードに設けられて電子ディスプレイの画面の垂直方向直上に配置されたスロットに銀塩ステレオスライドを挿入してフィルム上に形成されたステレオスライドを鑑賞できるように構成した請求項１乃至１４の何れか１項記載のステレオビューワを提供する。
【手続補正４】
【補正対象書類名】明細書
【補正対象項目名】００４１
【補正方法】変更
【補正の内容】
【００４１】
請求項１７記載の発明は、ステレオビューワ／又はステレオビューファインダをステレオカメラに取り付けた時に、取り付け位置の片側にフェースカップリングを設け、そのフェースカップリングをバネで加圧し、カップリングの歯数を３６０°／９０°＝４で割れ数を除いたＮとし、割出角度をｎ＝３６０／Ｎとしてｎを整数とすれば、ｎ（３６０°／Ｎ）＞９０°で成り立つｎの最小数の回転角度を回動させ、その回動の中間位置を、ディスプレイを実際に回動させる９０°位置にストッパを設け、その位置で固定するように構成した請求項１乃至１４の何れか１項記載ステレオビューファインダを提供する。
【手続補正５】
【補正対象書類名】特許請求の範囲
【補正対象項目名】請求項１０
【補正方法】変更
【補正の内容】
【請求項１０】
ステレオビューワ／ステレオビューファインダの左右一対のレンズの間隔調整機構であって、左右のレンズの取り付け部を左右のピンによって支え、左右のピン同士の中心部のレンズホルダ上にセグメントギヤを設け、前記左右のピン同士を結ぶ線と直角方向にレンズを取り付けて、左右のセグメントギヤが直接噛み合うことにより左右のレンズ間隔はピンを中心として互いに反対方向に搖動し、左右のレンズ間隔の調節を行うように構成した請求項１のステレオビューワ／ステレオビューファインダ。
【手続補正６】
【補正対象書類名】特許請求の範囲
【補正対象項目名】請求項１５
【補正方法】変更
【補正の内容】
【請求項１５】
前記電子ディスプレイに表示される左右の画面に左右同一の視準パターンをソフトウェアによって表示するように構成した請求項１乃至１４の何れか１項記載のステレオビューファインダ。
【手続補正７】
【補正対象書類名】特許請求の範囲
【補正対象項目名】請求項１６
【補正方法】変更
【補正の内容】
【請求項１６】
前記電子ディスプレイを白色表示してバックライトとして利用することにより、前記遮光フードに設けられて前記電子ディスプレイの画面の垂直方向直上に配置されたスロットに銀塩ステレオスライドを挿入してフィルム上に形成されたステレオスライドを鑑賞できるように構成した請求項１乃至１４の何れか１項記載のステレオビューワ。
【手続補正８】
【補正対象書類名】特許請求の範囲
【補正対象項目名】請求項１７
【補正方法】変更
【補正の内容】
【請求項１７】
ステレオビューワ／又はステレオビューファインダをステレオカメラに取り付けた時に、取り付け位置の片側にフェースカップリング機構を設け、そのフェースカップリング機構をバネで加圧し、カップリングの歯数を３６０°／９０°＝４で割れ数を除いたＮとし、割出角度をｎ＝３６０／Ｎとしてｎを整数とすれば、
ｎ（３６０°／Ｎ）＞９０°で成り立つｎの最小数の回転角度を回動させ、その回動の中間位置を、ディスプレイを実際に回動させる９０°位置にストッパを設け、その位置で固定するように構成した請求項１乃至１４の何れか１項記載のステレオビューファインダ。
【手続補正書】
【提出日】平成27年2月20日(2015.2.20)
【手続補正１】
【補正対象書類名】明細書
【補正対象項目名】０００９
【補正方法】変更
【補正の内容】
【０００９】
本発明は上記目的を達成するために提案するものであり、請求項１記載の発明は、一対のステレオ画像を表示する電子ディスプレイを備えた電子機器に用いられるステレオビューワ及び／又はステレオビューファインダであって、前記電子ディスプレイ上に取り付けられ、該電子ディスプレイの周縁に沿って立設する壁部で構成され、且つ、該壁部の内面側に折り畳み可能な遮光フードと、前記一対のステレオ画像を視る一対のレンズを備え、前記遮光フードの内壁面にヒンジ部を介して取り付けられて前記電子ディスプレイに対して平行に展開可能なルーペと、を備えていることを特徴とするステレオビューワ及び／又はステレオビューファインダを提供する。
【手続補正２】
【補正対象書類名】明細書
【補正対象項目名】００１０
【補正方法】変更
【補正の内容】
【００１０】
本発明では、遮光フードを立ち上げる際に、電子ディスプレイの周縁に設けた遮光フードの壁部の一部を持ち上げる。これにより、該遮光フードの前方壁部が電子ディスプレイに対して立ち上げられる。そのため、遮光フードの開口面が電子ディスプレイと対応した広さに拡大する。また、遮光フードを格納する際は、該遮光フードの左及び右の壁部を内面側に倒すことにより、遮光フードは前記壁部の内面側にワンタッチで折り畳まれて、電子ディスプレイ上に遮光フードはルーペとともに重合してコンパクトに格納することができる。
この構成によれば、屋外でステレオ画像の撮影や鑑賞を行う際に、遮光フードが電子ディスプレイへの外光の侵入を防止するため、電子ディスプレイに表示されるステレオ画像が視認し易く、また、遮光フードが小さく折り畳まれて格納可能なため、屋外に簡便に持ち運ぶことができる。
【手続補正３】
【補正対象書類名】特許請求の範囲
【補正対象項目名】請求項１
【補正方法】変更
【補正の内容】
【請求項１】
一対のステレオ画像を表示する電子ディスプレイを備えた電子機器に用いられるステレオビューワ及び／又はステレオビューファインダであって、前記電子ディスプレイ上に取り付けられ、該電子ディスプレイの周縁に沿って立設する壁部で構成され、且つ、該壁部の内面側に折り畳み可能な遮光フードと、前記一対のステレオ画像を視る一対のレンズを備え、前記遮光フードの内壁面にヒンジ部を介して取り付けられ前記電子ディスプレイに対して平行に展開可能なルーペとを備えていることを特徴とするステレオビューワ及び／又はステレオビューファインダ。
【手続補正書】
【提出日】平成27年3月3日(2015.3.3)
【手続補正１】
【補正対象書類名】手続補正書
【補正対象項目名】手続補正３
【補正方法】変更
【補正の内容】
【手続補正３】
【補正対象書類名】特許請求の範囲
【補正対象項目名】全文
【補正方法】変更
【補正の内容】
【特許請求の範囲】
【請求項１】
一対のステレオ画像を表示する電子ディスプレイを備えた電子機器に用いられるステレオビューワ及び／又はステレオビューファインダであって、前記電子ディスプレイ上に取り付けられ、該電子ディスプレイの周縁に沿って立設する壁部で構成され、且つ、該壁部の内面側に折り畳み可能な遮光フードと、前記一対のステレオ画像を視る一対のレンズを備え、前記遮光フードの内壁面にヒンジ部を介して取り付けられ前記電子ディスプレイに対して平行に展開可能なルーペとを備えていることを特徴とするステレオビューワ及び／又はステレオビューファインダ。
【請求項２】
前記ルーペを前記電子ディスプレイに対して垂直な垂直方向に昇降可能なルーペ昇降機構を備えていることを特徴とする請求項１記載のステレオビューワ及び／又はステレオビューファインダ。
【請求項３】
前記ルーペ昇降機構は、前記ルーペを前記遮光フードより垂直方向の上方に昇降可能なことを特徴とする請求項２記載のステレオビューワ及び／又はステレオビューファインダ。
【請求項４】
前記ルーペ昇降機構は、
前記ルーペにヒンジ部を介して連結されて、前記遮光フードの内壁面に垂直方向に昇降可能に取り付けられたコラムと、
該コラムの側方に取り付けられて、前記垂直方向に延びる回転軸まわりに回動可能なウォームネジと、
該ウォームネジに噛合可能に配置されて、前記ウォームネジを回動させて前記コラムを昇降させる入力ギヤと、
を備えていることを特徴とする請求項２又は３記載のステレオビューワ及び／又はステレオビューファインダ。
【請求項５】
前記入力ギヤの歯溝には、前記ウォームネジと前記入力ギヤとの噛み合いを妨げる昇降ストッパが配設されていることを特徴とする請求項４記載のステレオビューワ及び／又はステレオビューファインダ。
【請求項６】
前記遮光フードの内壁面と該内壁面に対向する対向壁面との間に渡設されて、前記一対のレンズの視野を仕切る仕切板を備えていることを特徴とする請求項１記載のステレオビューワ及び／又はステレオビューファインダ。
【請求項７】
前記仕切板は、一方端部を前記電子ディスプレイに対して垂直な回動軸まわりに回動可能にヒンジ部を介して前記遮光フードの後方内壁面に取り付けられていることを特徴とする請求項６記載のステレオビューワ及び／又はステレオビューファインダ。
【請求項８】
前記遮光フードが折り畳まれている際に、前記仕切板を前記遮光フードに一体に固定して前記仕切板の回動を規制し、前記遮光フードが展開されている際に、前記仕切板と前記遮光フードとを切離可能な回動ストッパを備えていることを特徴とする請求項７記載のステレオビューワ及び／又はステレオビューファインダ。
【請求項９】
前記回動ストッパは、前記遮光フードの対向壁面に形成された挿通孔内をスライド可能に配置されて、前記仕切板の他方端部を掛止するフック部を備えていることを特徴とする請求項８記載のステレオビューワ及び／又はステレオビューファインダ。
【請求項１０】
ステレオビューワ／ステレオビューファインダの左右一対のレンズの間隔調整機構であって、左右のレンズの取り付け部を左右のピンによって支え、左右のピン同士の中心部のレンズホルダ上にセグメントギヤを設け、前記左右のピン同士を結ぶ線と直角方向にレンズを取り付けて、左右のセグメントギヤが直接噛み合うことにより左右のレンズ間隔はピンを中心として互いに反対方向に搖動し、左右のレンズ間隔の調節を行うように構成した請求項１のステレオビューワ／ステレオビューファインダ。
【請求項１１】
前記レンズ間距離調整機構は、前記電子ディスプレイに対して垂直な回転軸まわりに前記レンズを回動可能に夫々収容する一対のレンズホルダを備えていることを特徴とする請求項１０記載のステレオビューワ及び／又はステレオビューファインダ。
【請求項１２】
前記レンズ間距離調整機構は、前記一対のレンズホルダ同士の対向する対向面に夫々形成されて互いに噛合可能なセグメントギヤを備えていることを特徴とする請求項１１記載のステレオビューワ及び／又はステレオビューファインダ。
【請求項１３】
前記レンズ間距離調整機構は、前記レンズホルダの過回動を規制する過回動ストッパを備えていることを特徴とする請求項１１又は１２記載のステレオビューワ及び／又はステレオビューファインダ。
【請求項１４】
前記レンズ間距離調整機構は、左右のレンズよりも夫々大きい孔を有するベースプレートを備え、ベースプレート上には左右一対のレンズホルダを設置し、ベースホルダと一対のレンズホルダは、夫々の下端部のピンを中心として回動可能に連結されている。ベースプレートの中心部にはカムシャフトを回転可能に立設するための孔を設け、その孔に左右用二つのカムを固定したカムシャフトを立設して、その左右用のカムには、夫々左右のレンズホルダの側端部がスプリングによって当接されている。カムシャフトの上端部を指で回せば左右のカムによってレンズホルダの間隔が観察者の好適な状態に調整される機構を備えている請求項１１記載のステレオビューワ及び／又はステレオビューファインダ。
【請求項１５】
前記電子ディスプレイに表示される左右の画面に左右同一の視準パターンをソフトウェアによって表示するように構成した請求項１乃至１４の何れか１項記載のステレオビューファインダ。
【請求項１６】
前記電子ディスプレイを白色表示してバックライトとして利用することにより、前記遮光フードに設けられて前記電子ディスプレイの画面の垂直方向直上に配置されたスロットに銀塩ステレオスライドを挿入してフィルム上に形成されたステレオスライドを鑑賞できるように構成した請求項１乃至１４の何れか１項記載のステレオビューワ。
【請求項１７】
ステレオビューワ／又はステレオビューファインダをステレオカメラに取り付けた時に、取り付け位置の片側にフェースカップリング機構を設け、そのフェースカップリング機構をバネで加圧し、カップリングの歯数を３６０°／９０°＝４で割れ数を除いたＮとし、割出角度をｎ＝３６０／Ｎとしてｎを整数とすれば、
ｎ（３６０°／Ｎ）＞９０°で成り立つｎの最小数の回転角度を回動させ、その回動の中間位置を、ディスプレイを実際に回動させる９０°位置にストッパを設け、その位置で固定するように構成した請求項１乃至１４の何れか１項記載のステレオビューファインダ。